(57)【要約】【課題】データ放送番組の画面を閉じて、番組表などの表示系アプリケーションによる画面を表示させた後、再度データ放送番組の画面を表示させる場合に、初期画面に戻ることなく、閉じた時の画面のまま再表示させることが可能であり、かつ、表示系アプリケーションによる画面の表示からデータ放送番組の表示への画面切り替え時間を短縮することが可能なデジタル放送受信装置を提供する。【解決手段】データ放送番組を受信して表示している状態で、例えば、番組表ボタンが押下された場合、番組表の表示に切替えるとともに、データ放送に関する制御は行わないようにし、再度番組表ボタンが押下された場合、番組表の表示をデータ放送番組の表示に切り替えるようにする。【選択図】図１
2009088819.tif 000002
【特許請求の範囲】
【請求項１】
デジタル放送に関する情報を少なくとも含む付加情報を、映像として表示装置に表示させるための第１の映像信号を生成する第１の映像信号生成手段と、
データ放送番組を受信して、この受信したデータ放送番組の映像を前記表示装置に表示させるための第２の映像信号を生成する第２の映像信号生成手段と、
前記第２の映像信号による映像が前記表示装置に表示されており、かつ、前記第１の映像信号が生成されていないときに、前記第１の映像信号による映像の表示開始及び終了を操作するための操作情報が入力された場合は、前記第１の映像信号の生成を開始させるように前記第１の映像信号生成手段を制御し、この第１の映像信号生成手段によって生成された前記第１の映像信号による映像を、現在表示されている前記第２の映像信号による映像と切り替えて、前記表示装置に表示するとともに、前記第２の映像信号生成手段に対しては、以降の制御を行わないようする一方、
前記第２の映像信号が生成されているが、それによる映像が前記表示装置には表示されておらず、かつ、前記第１の映像信号による映像が前記表示装置に表示されているときに、前記操作情報が入力された場合は、前記第１の映像信号の生成を終了させるように前記第１の映像信号制御手段を制御するとともに、生成されている前記第２の映像信号による映像を、現在表示されている前記第１の映像信号による映像と切り替えて、前記表示装置に表示させるように制御する制御手段と、
を有することを特徴とするデジタル放送受信装置。
【発明の詳細な説明】
【技術分野】
【０００１】
本発明は、データ放送受信機能を有するデジタル放送受信装置に関するものである。
【背景技術】
【０００２】
ＢＳ(Broadcast Satellite)／ＣＳ(Communication Satellite)デジタル放送や地上波デジタル放送などの各種デジタル放送では、映像音声信号による通常のテレビ番組のほかに、映像音声データ、静止画データ、テキストデータ、及び、これら各データの時間的、空間的配置を制御する制御データ（例えばＢＭＬ(Broadcast Markup Language)文書）等からなるコンポーネントデータで構成されるデータ放送番組も放送されている。データ放送番組には、映像音声信号による通常のテレビ番組にデータ放送番組も付随させて1つの番組として放送される連動型データ放送番組と、テレビ番組に付随せずにコンポーネントデータのみで放送される独立型データ放送番組とがある。
【０００３】
これらのデータ放送番組では、上記した制御データを用いることで、ユーザに対してインタラクティブなサービスを提供する事ができる。ユーザは、表示される画面の内容を基に、リモコンなどの操作よって、画面を遷移させて所望する情報を参照することが可能となる。
【０００４】
しかし、データ放送番組は、ユーザが所望の情報を参照するまでに多くのキー操作が必要であったり、表示画面の切り替わりに時間がかかったりなどの課題が残されている。
そこで、例えば特許文献１では、ユーザが頻繁に利用する情報を容易に参照できるよう
キー操作の改善を図ったデジタル放送受信装置が提案されている。
【０００５】
また、一般的なデジタル放送受信装置は、各種番組の受信機能以外にも多くの機能を有しており、これらの多くの機能を実現させるための各機能毎のソフトウエアである、アプリケーションを搭載している。
【０００６】
例えば、番組表アプリケーションは、外部から取得し装置内に蓄積された番組情報データを基に、ユーザに対して番組表の表示を行う番組表表示機能を実現するアプリケーションである。また、メニュー表示アプリケーションは、自装置の各種設定状態をユーザに提示したり、その設定をユーザに変更させたりするためのアプリケーションである。
【０００７】
このように、ユーザに対して、デジタル放送に関する情報や自装置の状態を示す情報である付加情報を表示したり、各種設定値を設定させるための画面を表示したりするためのアプリケーションを、本実施例では表示系アプリケーションと呼ぶこととする。
【０００８】
そして、従来のデジタル放送受信装置では、上記した表示系アプリケーションを実行させて各種の付加情報を表示装置に映像情報として表示する際、その表示を行う直前にデータ放送の番組を表示していた場合、データ放送表示用ソフトウエアの実行と表示系アプリケーションの実行が競合しないよう、データ放送表示用ソフトウエアの実行を終了してから表示系アプリケーションの実行を開始する処理を行っている。
【特許文献１】特開２００６−１８０１３２号公報
【発明の開示】
【発明が解決しようとする課題】
【０００９】
しかしながら、特許文献１の従来例では、キー操作の改善はなされるものの、表示画面の切り替わりに時間がかかる課題の改善はなされていない。
また、上記したように、データ放送番組を表示中に、表示系アプリケーションによる情報の表示を行う場合、データ放送表示用ソフトウエアの実行を終了してから表示系アプリケーションの実行を開始する処理を行っている。
【００１０】
従って、例えば、ユーザがデータ放送番組を視聴中に番組の放送予定を確認したいと思い番組表を表示させると、データ放送表示用ソフトウエアはその時点で実行を終了してしまう。よって、ユーザが、番組表の表示を止めて再度データ放送番組の視聴に戻ろうと思っても、データ放送番組の表示には戻らずに、画面はデータ放送番組表示直前に表示していた通常番組の映像となってしまうという課題がある。
【００１１】
図２は、この課題を説明する画面遷移の図である。
通常番組を視聴中に、データ放送番組を表示させるボタンである「ｄ」ボタンが押されると、データ放送表示用ソフトウエアが起動し、データ放送番組の初期画面（ｂ）を表示する。そして、ユーザによってこの初期画面中のニュースの枠が選択されると、ニュースの画面（ｃ）が表示される。なお、この例では、基のテレビ画面が右上に縮小表示されている。この状態から、ユーザが一時的に番組表を確認したいと考え、番組表の表示と消去をトグルで実行させるボタンである「番組表」ボタンを押して番組表を表示させ（ｄ）、データ放送画面を閉じてしまうと、ユーザがもう一度データ放送番組のニュースを観たいと思って再度「番組表」ボタンを押して番組表を消去させても、その後に表示される画面は、ニュースの画面（ｃ）には戻らずにデータ放送番組表示直前に表示していた通常番組の映像（ｅ）となってしまう。従って、データ放送番組を再度表示させるには、再度「ｄ」ボタンを押さなければならない。また、この際に表示される画面は、ニュースの画面ではなく、データ放送番組の初期画面（ｆ）に戻ってしまう。
【００１２】
本発明は、上記のような課題を解決して、データ放送番組の画面を閉じて、表示系アプリケーションによる情報表示画面を表示させた後、再度データ放送番組の画面を表示させる場合に、初期画面に戻ることなく、閉じた時の画面のまま再表示させることが可能であり、更には、このデータ放送番組の画面を再表示させる際の画面切り替え時間を短縮することが可能なデジタル放送受信装置を提供することを目的とする。
【課題を解決するための手段】
【００１３】
そこで上記課題を解決するために本発明は、下記の装置を提供するものである。
（１）デジタル放送に関する情報を少なくとも含む付加情報を、映像として表示装置に表示させるための第１の映像信号を生成する第１の映像信号生成手段(6,7)と、
データ放送番組を受信して、この受信したデータ放送番組の映像を前記表示装置に表示させるための第２の映像信号を生成する第２の映像信号生成手段(2,3,8,9,10)と、
前記第２の映像信号による映像が前記表示装置に表示されており、かつ、前記第１の映像信号が生成されていないときに、前記第１の映像信号による映像の表示開始及び終了を操作するための操作情報が入力された場合は、前記第１の映像信号の生成を開始させるように前記第１の映像信号生成手段を制御し、この第１の映像信号生成手段によって生成された前記第１の映像信号による映像を、現在表示されている前記第２の映像信号による映像と切り替えて、前記表示装置に表示するとともに、前記第２の映像信号生成手段に対しては、以降の制御を行わないようする一方、
前記第２の映像信号が生成されているが、それによる映像が前記表示装置には表示されておらず、かつ、前記第１の映像信号による映像が前記表示装置に表示されているときに、前記操作情報が入力された場合は、前記第１の映像信号の生成を終了させるように前記第１の映像信号制御手段を制御するとともに、生成されている前記第２の映像信号による映像を、現在表示されている前記第１の映像信号による映像と切り替えて、前記表示装置に表示させるように制御する制御手段(4,5,18)と、
を有することを特徴とするデジタル放送受信装置。
【発明の効果】
【００１４】
本発明によれば、データ放送番組の画面を閉じて、表示系アプリケーションによる情報表示画面を表示させた後、再度データ放送番組の画面を表示させる場合に、初期画面に戻ることなく、閉じた時の画面のまま再表示させることが可能となる。
【００１５】
更には、このデータ放送番組の画面を再表示させる際の画面切り替え時間を短縮することができる。
従って、ユーザの利便性を高めることができる。
【発明を実施するための最良の形態】
【００１６】
以下に、本発明によるデジタル放送受信装置の一実施例について説明する。
＜全体構成＞
図１は、本発明のデジタル放送受信装置の一実施例のブロック図である。
【００１７】
操作入力部４は、ユーザの操作を受け付けて、この操作に応じた操作情報を生成し、システム制御部５へ供給する。
システム制御部５は、操作入力部４から供給される操作情報を受けて、この操作情報に対応する動作を実行するために必要な制御信号を生成し、本装置内の各ブロックに供給するとともに、装置全体の統括制御を行う。なお、図１においては、図面を簡略化するため、アプリケーション処理部６、データ放送エンジン部９、第１の切り替えスイッチ１８、第２の切り替えイッチ１９以外の個々のブロックへ供給する制御信号のラインは省略している。
【００１８】
また、システム制御部５は、第１の切り替えスイッチ１８、第２の切り替えスイッチ１９に対するスイッチＯＮ／ＯＦＦの制御を、データ放送表示用ソフトウエア及び表示系アプリケーションの実行状況に応じて行う。この切り替え制御の詳細は後述する。
【００１９】
アプリケーション処理部６は、システム制御部５から供給される制御信号にあらかじめ対応付けられた表示系アプリケーションを実行する。そして、この実行された表示系アプリケーションの動作内容に応じて、必要であれば、テレビ番組の映像の表示位置情報及びサイズ情報を生成し、第２の切り替えスイッチ１９を介して映像スケーラ部１２に供給するとともに、アプリケーション画面生成部７に対して、表示系アプリケーションの表示に用いられる文字データや図形データなどを供給する。
【００２０】
アプリケーション画面生成部７は、供給される文字データや図形データなどを基に、アプリケーション表示用映像信号（特許請求の範囲における第１の映像信号）を生成し、第１の切り替えスイッチ１８を介して映像合成部１３へ供給する。
【００２１】
チューナ部２は、デジタル放送用アンテナ１から入来するデジタル放送波のうち、選局対象のチャンネルを含むデジタル放送波へのチューニングと復調を行って、テレビ番組用の符号化映像信号や符号化音声信号と、データ放送用や番組情報提供用の各種データとが多重されているトランスポートストリームを生成し、多重分離部３へ供給する。
【００２２】
多重分離部３は、トランスポートストリームから、符号化映像信号、符号化音声信号、各種データを分離して、映像デコード部１１、音声デコード部１４、データ放送データ取得部８にそれぞれ供給する。
【００２３】
データ放送データ取得部８は、供給される各種データから、データ放送で用いるコンポーネントデータを抽出して、データ放送エンジン部９へ供給する。
データ放送エンジン部９は、データ放送データ取得部８から供給されるコンポーネントデータと、システム制御部５から供給される制御信号を基に、データ放送番組の動作内容を解析して、テレビ番組の映像の表示位置情報及びサイズ情報を生成し、第２の切り替えスイッチ１９を介して映像スケーラ部１２に供給するとともに、データ放送画面生成部１０に対して、データ放送番組の表示に用いられる文字データや図形データなどを供給する。
【００２４】
データ放送画面生成部１０は、供給される文字データや図形データなどを基に、データ放送番組表示用映像信号（特許請求の範囲における第２の映像信号）を生成し、第１の切り替えスイッチ１８を介して映像合成部１３へ供給する。
【００２５】
映像デコード部１１は、供給される符号化映像信号をデコードしてテレビ番組表示用映像信号を生成し、映像スケーラ部１２へ供給する。
映像スケーラ部１２は、データ放送エンジン部９又はアプリケーション処理部６から第２の切り替えスイッチ１９を介して供給される表示位置情報及びサイズ情報に基づいて、映像デコード部１１から供給されるテレビ番組表示用映像信号の表示位置及びサイズを調整し、この調整後のテレビ番組表示用映像信号を映像合成部１３へ供給する。
【００２６】
映像合成部１３は、映像スケーラ部１２から供給されるテレビ番組表示用映像信号と、データ放送画面生成部１０又はアプリケーション画面生成部７から第１の切り替えスイッチ１８を介して供給されるデータ放送番組表示用映像信号又はアプリケーション表示用映像信号とを合成して合成映像信号を生成し表示部１６へ出力する。
【００２７】
音声デコード部１４は、供給される符号化音声信号をデコードして出力用音声信号を生成し、音声信号処理部１５へ供給する。
音声信号処理部１５は、供給される出力用音声信号に対してレベル調整などの処理を施した後にスピーカ１７へ出力する。
＜動作フロー＞
次に、本実施例の動作の詳細を、図１のブロック図、及び図３のフローチャートを用いて説明する。なお、フローチャートでの動作を行なう主体は、特に記述が無い限りはシステム制御部５である。
【００２８】
また、この処理動作に入る前に、データ放送番組は既に受信されており、表示部１６には既にデータ放送番組の映像画面が表示されていることを前提とする。
ステップＳ１：ユーザの操作によって操作入力部４より入力された操作情報が「番組表ボタンの押下」であるか否かを検出する。検出結果が「番組表ボタンの押下」でない場合は、再度操作情報の検出処理に戻る。検出結果が「番組表ボタンの押下」であった場合は、ステップＳ２に処理を移行する。
【００２９】
ステップＳ２：現在、番組表アプリケーションによる番組表表示用映像信号が、映像合成部１３へ供給されており、表示部１６に番組表を表示中であるか否かを確認する。番組表を表示中の場合は、ステップＳ７へ処理を移行する。番組表を表示中でない場合は、ステップＳ３へ処理を移行する。
【００３０】
ステップＳ３：このステップ以降に操作入力部４より入力される操作情報に、データ放送に関連するものがあっても、データ放送エンジン部９へはこの操作情報に対応する制御信号を供給しないように制限する。
【００３１】
ステップＳ４：アプリケーション表示用映像信号（この場合は番組表）が映像合成部１３へ供給されるようにし、表示装置１６での表示が番組表アプリケーションの画面になるように、第１の切り替えスイッチ１８をｂ端子側（アプリケーション側）に切り替える。
【００３２】
ステップＳ５：アプリケーション処理部６から供給される番組表を表示する際、その番組表中の所定領域に表示するテレビ番組映像の表示位置情報及びサイズ情報（映像のスケーリング情報）が映像スケーラ部１２へ供給されるように第２の切り替えスイッチ１９をｂ端子側（アプリケーション側）に切り替える。
【００３３】
ステップＳ６：番組表の表示を開始する。
なお、上記ステップＳ３からステップＳ６までの処理は、かならずしもこの順番で行う必要は無く、どのような順番でも良い。
【００３４】
以上のステップＳ３からステップＳ６までの処理が終わったら再度ステップＳ１へ戻り、次の操作情報が入力されるのを待つ。
ステップＳ７：ステップＳ１及びステップＳ２によって、既に番組表が表示中のときに再度「番組表ボタンの押下」がなされたことを検出した場合は、データ放送エンジン部への制御信号の供給制限を解除する。
【００３５】
ステップＳ８：データ放送表示用映像信号が映像合成部１３へ供給されるようにし、表示装置１６での表示がデータ放送の画面になるように、第１の切り替えスイッチ１８をａ端子側（データ放送側）に切り替える。
【００３６】
ステップＳ９：データ放送エンジン部９から供給されるデータ放送番組を表示する際、そのデータ放送番組中の所定領域に表示するテレビ番組映像の表示位置情報及びサイズ情報（映像のスケーリング情報）が映像スケーラ部１２へ供給されるように第２の切り替えスイッチ１９をａ端子側（データ放送側）に切り替える。
【００３７】
ステップＳ１０：番組表の表示を終了する。
なお、上記ステップＳ７からステップＳ１０までの処理も、かならずしもこの順番で行う必要は無く、どのような順番でも良い。
【００３８】
以上のステップＳ７からステップＳ９までの処理が終わったら再度ステップＳ１へ戻り、次の操作情報が入力されるのを待つ。
従来は、データ放送番組を受信して表示した後、「番組表ボタンの押下」がなされたら番組表の表示を開始する際に、データ放送表示用ソフトウエアの実行を終了し、データ放送番組の受信自体を終了してしまっていた。
【００３９】
従って、次の「番組表ボタンの押下」により番組表の表示が終了すると、データ放送表示用ソフトウエアが最初から起動するので、データ放送番組の受信は、再度はじめから開始しなおさなければならず、その表示までに時間を要していた上に、表示画面も初期画面に戻ってしまっていた。
【００４０】
本実施例では、番組表の表示を開始しても、データ放送表示用ソフトウエアの実行を終了せず、データ放送番組の受信を終了せずに操作情報の入力、映像のスケーリング制御、表示制御を表示系アプリケーション側に切り替えた状態で保持するようにした。更に、番組表表示期間中は、データ放送エンジン部９へは制御信号を供給しないようにした。
【００４１】
これにより、表示系アプリケーションによる番組表表示からデータ放送番組表示へすばやく切替えることが可能になるとともに、再表示されるデータ放送番組の表示画面を、初期画面ではなく前回表示されていた画面とすることが可能となる。
【００４２】
本実施例によるデータ放送画面の遷移例を図４に示す。図４（ａ）から（ｄ）までの遷移は図２の従来例と同様であるが、図４（ｅ）での表示画面が、図２（ｅ）のように初期画面ではなく、番組表画面である図４（ｄ）の前に表示していたデータ放送番組の表示画面である図４（ｃ）と同じ表示画面である図４（ｅ）となる。
【００４３】
なお、本実施例では、データ放送番組による画面表示と表示系アプリケーションによる画面表示との切り替え処理の例として番組表における「番組表ボタン押下」で説明しているが、これに限定するものではなく、表示系アプリケーションの開始／終了が他のボタンや操作に割り当てられている場合は、「番組表ボタンの押下」がその他のボタンや操作に置き換わることはもちろんである。
【００４４】
また、本発明は上記した装置の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【図面の簡単な説明】
【００４５】
【図１】本発明のデジタル放送受信装置の一実施例のブロック図である。
【図２】従来のデータ放送番組の画面遷移の例を示した図である。
【図３】一実施例の動作の流れを示すフローチャートである。
【図４】一実施例のデータ放送番組の画面遷移の例を示した図である。
【符号の説明】
【００４６】
１  デジタル放送用アンテナ
２  チューナ部
３  多重分離部
４  操作入力部
５  システム制御部
６  アプリケーション処理部
７  アプリケーション画面生成部
８  データ放送データ取得部
９  データ放送エンジン部
１０  データ放送画面生成部
１１  映像デコード部
１２  映像スケーラ部
１３  映像合成部
１４  音声デコード部
１５  音声信号処理部
１６  表示装置
１７  スピーカ
１８  第１の切り替えスイッチ
１９  第２の切り替えスイッチ
【図１】
2009088819.tif 000003
【図２】
2009088819.tif 000004
【図３】
2009088819.tif 000005
【図４】
2009088819.tif 000006